(57)【要約】【課題】本発明の課題は、組立性が良好で、使用者が好みに合わせて変更可能なパネルを有する筆記具の軸筒を簡単な構造で提供することである。【解決手段】軸筒本体の先端部に、口先部材を着脱自在に装着するとともに、前記軸筒本体に、パネルを着脱自在に取付けてなる筆記具の軸筒であって、前記軸筒本体に、外表面が一段小さく、前記軸筒本体の先端部まで延びる取付部を設け、前記取付部に設けた挿通孔に、前記パネルに設けた係合突部を、前後動可能に挿通するとともに、口先部材の装着によって、前記取付部の後方段部と口先部材間に挟持して、前記パネルを着脱自在に取付けてあることを特徴とする。【選択図】      図２
2013091300.tif 000002
【特許請求の範囲】
【請求項１】
軸筒本体の先端部に、口先部材を着脱自在に装着するとともに、前記軸筒本体に、パネルを着脱自在に取付けてなる筆記具の軸筒であって、前記軸筒本体に、外表面が一段小さく、前記軸筒本体の先端部まで延びる取付部を設け、前記取付部に設けた挿通孔に、前記パネルに設けた係合突部を、前後動可能に挿通するとともに、口先部材の装着によって、前記取付部の後方段部と口先部材間に挟持して、前記パネルを着脱自在に取付けてあることを特徴とする筆記具の軸筒。
【請求項２】
前記口先部材が、軸筒本体に螺合接続によって着脱自在に装着してなり、前記口先部材とパネル間に、前記口先部材とパネル間に挟持するリング体を着脱自在に設けるとともに、前記パネルの先端面が、凸面形状又は凹面形状からなり、前記リング体に、前記パネルの先端面に対応して当接する凹面形状又は凸面形状を設けたことを特徴とする請求項１に記載の筆記具の軸筒。
【請求項３】
前記パネルの先端部に、軸筒本体の先端側に延びる前方爪部を形成するとともに、前記前方爪部が、前記リング体の内側に位置することを特徴とする請求項２に記載の筆記具の軸筒。
【請求項４】
前記パネルの後端部に、軸筒本体の後端側に延びる後方爪部を形成するとともに、後方爪部が前記軸筒本体の内側に位置することを特徴とする請求項１ないし３の何れか１項に記載の筆記具の軸筒。
【発明の詳細な説明】
【技術分野】
【０００１】
本発明は、軸筒の先端部に、口先部材を着脱自在に装着するとともに、前記軸筒に、パネルを着脱自在に取付けてなる筆記具の軸筒に関する。
【背景技術】
【０００２】
従来、筆記具の軸筒において、軸筒に色や文字、図形などを施す場合、軸筒の表面に直接印刷などを施すことが一般的であったが、擦過などによって文字や図形などが剥がれたりすることが問題であった。
【０００３】
また、実開平０５−５３９９４号公報「カレンダー付き筆記用具」では、軸筒に凹部を設け、この凹部に、文字を印刷したシールを貼着してなる筆記具の軸筒が開示されているが、凹部とすることで、擦過し難い構造ではあるが、剥がれてしまう問題は払拭されていない。
【０００４】
こうした問題を鑑みて、特開２００１−２６１９２号公報「筆記具の軸筒及びその軸筒の製造方法」では、外軸に直接文字、図形などを施すのではなく、透明材料から形成された外軸と内軸との間に装飾を施すことが開示されている。
【先行技術文献】
【特許文献】
【０００５】
【特許文献１】実開平０５−５３９９４号公報
【特許文献２】特開２００１−２６１９２号公報
【発明の概要】
【発明が解決しようとする課題】
【０００６】
ところで、筆記具において、所望の色や形、ボール径等、使用者の好みは様々であり、こうした使用者の要望を答えるように、同一形態であっても筆記色や軸筒色を複数種類、揃える必要がある。特に、近年では、部品によっては、使用者が好みに合わせて変更可能とする筆記具も数多く、開示されている。
【０００７】
本発明はこれらの従来技術に鑑みてなされたものであって、組立性が良好で、使用者が好みに合わせて変更可能なパネルを有する筆記具の軸筒を簡単な構造で提供することにある。
【課題を解決するための手段】
【０００８】
本発明は、前記問題を解決するために、軸筒本体の先端部に、口先部材を着脱自在に装着するとともに、前記軸筒本体に、パネルを着脱自在に取付けてなる筆記具の軸筒であって、前記軸筒本体に、外表面が一段小さく、前記軸筒本体の先端部まで延びる取付部を設け、前記取付部に設けた挿通孔に、前記パネルに設けた係合突部を、前後動可能に挿通するとともに、口先部材の装着によって、前記取付部の後方段部と口先部材間に挟持して、前記パネルを着脱自在に取付けてあることを特徴とする。
【０００９】
また、前記口先部材が、前記口先部材が、軸筒本体に螺合接続によって着脱自在に装着してなり、前記口先部材とパネル間に、前記口先部材とパネル間に挟持するリング体を着脱自在に設けるとともに、前記パネルの先端面が、凸面形状又は凹面形状からなり、前記リング体に、前記パネルの先端面に対応して当接する凹面形状又は凸面形状を設けたことを特徴とする。
【００１０】
また、前記パネルの先端部に、軸筒本体の先端側に延びる前方爪部を形成するとともに、前記前方爪部が、前記リング体の内側、且つ前記前方爪部とリング体が、軸筒本体の軸心からの延長線上に位置することを特徴とする。
【００１１】
更にまた、前記パネルの後端部に、軸筒本体の後端側に延びる後方爪部を形成するとともに、後方爪部が前記軸筒本体の内側、且つ前記後方爪部と軸筒本体が、軸筒本体の軸心からの延長線上に位置することを特徴とする。
【００１２】
本願発明の第１の構成によれば、軸筒本体の先端部に、口先部材を着脱自在に装着するとともに、前記軸筒本体に、パネルを着脱自在に取付けてなる筆記具の軸筒であって、前記軸筒本体に、外表面が一段小さく、前記軸筒本体の先端部まで延びる取付部を設け、前記取付部に設けた挿通孔に、前記パネルに設けた突部を、前後動可能に挿通するとともに、口先部材の装着によって、前記取付部の後方段部と口先部材間に挟持して、前記パネルを着脱自在に取付けてあるため、使用者がパネルを配置し易く、また軸筒本体からパネルを容易に交換することができる効果を奏する。
【００１３】
本願発明の第２の構成によれば、前記口先部材が、前記軸筒本体に螺合接続によって着脱自在に装着してなり、前記口先部材とパネル間に、前記口先部材とパネル間に挟持するリング体を着脱自在に設けるとともに、前記パネルの先端面が、凸面形状又は凹面形状からなり、前記リング体に、前記パネルの先端面に対応して当接する凹面形状又は凸面形状を設けることで、口先部材を螺合接続した筆記具の軸筒であっても、口先部材は螺合接続によって着脱自在としてあるので、容易に軸筒本体から取り外すことができ、装飾性の高いパネルを直脱自在に取り付けることができるとともに、パネルの先端面において、接触面積を増加してパネルのガタツキを抑制することができる。
【００１４】
本願発明の第３の構成によれば、前記パネルの先端部に、軸筒本体の先端側に延びる前方爪部を形成するとともに、前記前方爪部が、前記リング体の内側に位置することで、パネルの軸筒外方への移動を抑制し、不用意にパネルが外れることがなくなるので好ましい。
【００１５】
本願発明の第４の構成によれば、前記パネルの後端部に、軸筒本体の後端側に延びる後方爪部を形成するとともに、後方爪部が前記軸筒本体の内側に位置することで、口先部材の装着前において、パネルの軸筒外方への移動を抑制し、不用意にパネルが外れることがなくなるので、組立性を向上することができる。
【００１６】
本発明のパネルには、シリコーンゴム、ブチルゴム、フッ素ゴム、熱可塑性エラストマー等、ゴム弾性変形可能なゴム弾性体やＰＣ樹脂、ＰＰ樹脂、ＡＳ樹脂等の樹脂材料などのなかから適宜選定すればよく、軸筒本体とパネルを同種又は異種で形成してあってもよい。
【００１７】
また、本発明のパネルの色は、透明、半透明、着色透明、不透明など特に限定されるものではないが、軸筒本体とは異なる色として装飾性を高めることが好ましく、軸筒の取付部に文字や模様などの装飾を施し、透明、半透明、着色透明のパネルを取り付けて、擦過などによって文字や図形などが剥がれたりすることなく装飾を維持することが最も好ましい。
【発明の効果】
【００１８】
本発明は、組立性が良好で、使用者が好みに合わせて変更可能なパネルを有する筆記具の軸筒を簡単な構造で提供することができた。
【図面の簡単な説明】
【００１９】
【図１】実施例１の筆記具の軸筒を示す外観図である。
【図２】図１の９０度方向を示す縦断面図である。
【図３】図１における外観図である。
【図４】図１における一部省略したＡ−Ａ要部断面図である。
【図５】図１における一部省略したＢ−Ｂ要部断面図である。
【図６】パネルの取り付ける状態を示す一部省略した要部斜視説明図である。
【図７】パネルの取り外す状態を示す説明図である。
【発明を実施するための形態】
【００２０】
次に図面を参照しながら、本発明の筆記具の軸筒の実施例を説明するが、本発明は以下の実施形態に限定されるものではない。
【００２１】
実施例１
図１から図７に示す実施例１の筆記具の軸筒１は、前軸２の係止突部２Ｅと後軸３の係止孔３Ｅを乗り越し嵌合によって装着し、前軸２に口先部材５を螺着して得た軸筒本体内に、頭部を複数に分割して拡開可能に形成したチャック１１と、チャック１１の後部にコレクター１２と、チャック１１の後部に圧入固着したパイプ状の芯タンク１６と、締リング１３と、締めリング１３を受け止めるワッシャー１４と、ワッシャー１４と芯タンク１６の間に張架したスプリング１５とからなる機構部が構成し、軸筒本体を長手方向へ振って重量体１７の重力を前軸２の先端開口部方向へ作用すること、又は後軸３から突出し、コイルスプリング１０によって、軸筒本体の後端側に付勢して配設したノック体８を押圧することで、鉛芯（図示せず）を繰り出し可能としたシャープペンシルの軸筒である。また、口先部材５は、鉛芯を軽く保持する芯ホルダー１８が内蔵され、ノック体８には、消しゴムホルダー９に着脱自在に装着してあり、消しゴムホルダー９には消しゴムＫを装着している。
【００２２】
また、後軸３の後端部には、クリップ１９をコイルスプリング２０によって、常時、クリップ１９の先端部の内壁１９Ａを後軸３の外表面に押圧して付設してある。このクリップ１９の開閉操作を説明すると、クリップ１９の先端部の内壁１９Ａが閉じた状態からクリップ１９の後端部１９Ｂを下方に押圧すると、後軸３の係合部とクリップ１９の係合部との連結部Ｒを支点にしてクリップ１９の先端部が上方に開くとともにクリップ１９の後方でコイルスプリング２０を圧縮した状態となる。また、クリップ１９の後方の押圧を止めればコイルスプリング２０に押されてクリップ１９の先端部の内壁１９Ａが閉じられ元の状態に復帰する。
【００２３】
前軸２及び後軸３には、前軸２と後軸３とに連続的、かつ外表面が一段小さく、前軸２の先端まで延びる一方の取付部２Ａ、３Ａを設けてある。この取付部２Ａ、３Ａに芯の濃さを示す文字の装飾Ｈを施してあり、この一方の取付部２Ａ、３Ａに無色透明のパネル６を着脱自在に取り付けてある。
【００２４】
具体的には、先ず、一方の取付部２Ａ、３Ａに設けた長手方向に沿って延びる挿通孔２Ｃ、３Ｃを長手方向の異なる位置に設け、一方のパネル６に設けた、先端側の挿通孔２Ｃよりも長手方向での長さが短い前方突部６Ａを前後動可能に挿通すると同時に、後端側の係合孔３Ｃよりも長手方向での長さが短い後方突部６Ｂを前後動可能に挿通する。その後、パネル６の前方にリング体４を配設する。この時、パネル６の先端面６Ｃは、前方に向かって突出し、先端に向かって小さくなつ凸曲面形状としてあり、リング体４には、パネル６の先端面６ｃの凸曲面形状に対応する凹曲面形状の当接部４Ａを設けてあり、パネル６の凸曲面形状とリング体４の凹曲面形状の当接部４Ａを当接してある。また、パネル６の後端面６Ｄも凸曲面形状としてあり、取付部３Ａの後端部に、パネル６の後端面６Ｄの凸曲面形状に対応する凹曲面形状の後方段部３Ｆを設けてある。
【００２５】
さらに、リング体４を配設した後、口先部材５を順次装着すると、口先部材５の装着により、パネル６がリング体４の当接部４Ａと後軸３に設けた取付部３Ａの後方段部３Ｆ間に圧接した状態で配設される。また、パネル６の先端部に設けた前軸２の先端側に延びる前方爪部６Ｅがリング体４の内側、詳細には、リング体４と前方爪部６Ｅが軸筒本体の軸心からの垂線において同一線上に位置するとともに、パネル６の後方突部６Ｂに設けた後軸３の後端側に延びる後方爪部６Ｆが、後軸３の内側、詳細には、後軸３と後方爪部６Ｆが軸筒本体の軸心からの垂線において同一線上に位置している。
【００２６】
また、他方のパネル７も一方のパネル６と同様にして、前軸２及び後軸３に設けた他方の取付部２Ｂ、３Ｂの挿通孔２Ｄ、３Ｄに、パネル７の前方突部７Ａ、後方突部７Ｂを挿通し、リング体４の当接部と他方の後方段部３Ｇ間に取り付けてある。
【００２７】
一方のパネル６を交換するには、先ず、図７−２に示すように、前軸２から口先部材５を取り外す。その後、リング体４を軸筒先端側に移動（図７−３の矢印Ｇ方向）することで、パネル６の前方爪部６Ｅがリング体４から露出し、また、図７−４のように、パネル６を軸筒先端側に移動すると、後方爪部６Ｆが後軸３の内側から挿通孔３Ｃに対応した位置に移動する。その後、パネル６を軸筒外方側に持ち上げると、取付部２Ａ、３Ａの挿通孔２Ｃ、３Ｃからパネル６の突部６Ａ、６Ｂを離脱してパネル６を前軸２及び後軸３から取り外することができ、新たなパネル（図示せず）に交換することができる。
【００２８】
尚、上記実施例は、前軸と後軸を乗り越し嵌合にて軸筒本体を構成しているが、前軸と後軸を螺着する、或いは、前軸と後軸を一体にして軸筒本体を構成する等、特に限定されるものではない。
【００２９】
また、パネルの形状も特に限定されるものではないが、パネルを取り付けた後、軸筒本体の外表面とパネルの外表面に段差がない、或いは段差の少ない略面一状とすることが好ましく、また、軸筒本体の外表面とパネルの外表面が、横断面において略正円形にて連続することが好ましい。
【００３０】
更に、図示はしていないが、一方の前方爪部を他方の前方爪部と係合する等、一方及び他方のパネル同士を着脱自在に係合してあってもよい。また、挿通孔は、軸方向の異なる位置に２箇所設けているが、形成場所や数などは特に限定されない。但し、軸筒先端側と後端側の２箇所に設けることで、パネルを安定して保持することができるので好ましい。
【産業上の利用可能性】
【００３１】
本発明の筆記具の軸筒は、ノック式シャープペンシルに限定されるものではなく、ボールペン等、種々の筆記具の軸筒に利用できるものである。
【符号の説明】
【００３２】
１  筆記具の軸筒
２  前軸
２Ａ、２Ｂ  取付部
２Ｃ、２Ｄ  挿通孔
２Ｅ  係止突部
３  後軸
３Ａ、３Ｂ  取付部
３Ｃ、３Ｄ  挿通孔
３Ｅ  係止孔
３Ｆ、３Ｇ  後端段部
４  リング体
４Ａ  当接部
５  口先部材
６、７  パネル
６Ａ、７Ａ  前方突部
６Ｂ、７Ｂ  後方突部
６Ｃ、７Ｃ  先端面
６Ｄ、７Ｄ  後端面
６Ｅ、７Ｅ  前方爪部
６Ｆ、７Ｆ  後方爪部
８  ノック体
９  消しゴムホルダー
１１  チャック
１６  芯タンク
１９  クリップ
【図１】
2013091300.tif 000003
【図２】
2013091300.tif 000004
【図３】
2013091300.tif 000005
【図４】
2013091300.tif 000006
【図５】
2013091300.tif 000007
【図６】
2013091300.tif 000008
【図７】
2013091300.tif 000009